(57)【要約】【課題】仮設足場を組み立てる際に用いられる支持具であって、取り扱いが容易であり、多目的に使用でき、かつ、運搬性の良好な支持具を提供する。【解決手段】建物の外側に仮設足場を組み立てる際に用いる支持具が、前記建物の一部を挟持する挟持部と、前記挟持部に取り付けられ、前記建物の外側に向かって水平に張り出す水平部材と、前記水平部材に取り付けられる、物を吊り下げるための吊下結合部と、を備え、前記仮設足場の下方に取り付けられる場合には、前記水平部材の上に前記仮設足場が組み立てられ、前記仮設足場の上方に取り付けられる場合には、前記吊下結合部に所定の吊下げ物が取り付けられ、前記挟持部と前記水平部材と前記吊下結合部とは、互いに、取り外し可能である。【選択図】  図１
2019023388.tif 000002
【特許請求の範囲】
【請求項１】
建物の外側に仮設足場を組み立てる際に用いる支持具であって、
前記建物の一部を挟持する挟持部と、
前記挟持部に取り付けられ、前記建物の外側に向かって水平に張り出す水平部材と、
前記水平部材に取り付けられる、物を吊り下げるための吊下結合部と、を備え、
前記仮設足場の下方に取り付けられる場合には、前記水平部材の上に前記仮設足場が組み立てられ、
前記仮設足場の上方に取り付けられる場合には、前記吊下結合部に所定の吊下げ物が取り付けられ、
前記挟持部と前記水平部材と前記吊下結合部とは、互いに、取り外し可能である
ことを特徴とする支持具。
【請求項２】
請求項１において、
前記水平部材は、前記挟持部及び前記吊下結合部のそれぞれに対して、取り付け位置を変更するための複数の取付穴を備える
ことを特徴とする支持具。
【請求項３】
請求項１あるいは２において、
前記水平部材は、前記仮設足場に使用される管部材と整合する直径の管部材で構成される
ことを特徴とする支持具。
【請求項４】
請求項１乃至３のいずれか１項において、
前記吊下げ物は、前記仮設足場を組み立てる作業員の墜落防止装置である
ことを特徴とする支持具。
【請求項５】
請求項１乃至４のいずれか１項において、
前記吊下げ物は、物の落下防止装置である
ことを特徴とする支持具。
【請求項６】
請求項１乃至５のいずれか１項において、
前記吊下結合部を２つ備える
ことを特徴とする支持具。
【請求項７】
建物の外側に組み立てる仮設足場の支持具であって、
前記建物の一部を挟持する挟持部と、
前記挟持部に取り付けられ、前記建物の外側に向かって水平に張り出す部材であって、前記仮設足場を載せる水平部材と、
前記挟持部に取り付けられ、前記仮設足場を組み立てるための作業床を取り付ける作業床結合部と、を備える
ことを特徴とする支持具。
【請求項８】
請求項７において、
前記水平部材及び前記作業床結合部は、前記仮設足場に使用される管部材と整合する直径の管部材で構成される
ことを特徴とする支持具。
【請求項９】
請求項７あるいは８において、更に、
一端が、前記水平部材の前記建物の外側へ向く先端部に結合され、他端が、前記水平部材よりも下方の位置で、前記建物又は前記建物に固定された部材に結合される補強部材を備える
ことを特徴とする支持具。
【発明の詳細な説明】
【技術分野】
【０００１】
本発明は、仮設足場を組み立てる際に用いられる支持具に関し、特に、取り扱いが容易であり、多目的に使用でき、かつ、運搬性の良好な支持具に関する。
【背景技術】
【０００２】
従来、マンションなどの建物の外壁、ベランダ等を補修、修繕する場合には、建物の外側に沿って工事用の仮設足場を構築することが行われている。
【０００３】
かかる仮設足場は、一般的には、フロアーレベル（地面）から順次上層階へ組み立てていくが、建物の１階部分に車両の出入り口などがある箇所においては、その箇所を閉鎖できず、地面から仮設足場を構築することができない。そのような箇所では、従来、その両側に門型架台を構築し、その上に仮設足場を組み立てていく、といった工法が取られていた。
【０００４】
当該仮設足場の構築に関し、従来、下記特許文献１、２などに記載された技術が提案されている。
【０００５】
下記特許文献１では、建物のコンクリート防護壁の上端部に取り付けて使用する枠組足場建枠の支持金具を開示している。
【０００６】
また、下記特許文献２では、建造物の上層階側面における任意の位置から設置できる枠組足場用の跳出しブラケット等について開示している。
【先行技術文献】
【特許文献】
【０００７】
【特許文献１】特開平１１−１８２０２３号公報
【特許文献２】実用新案登録第３１９５０４１号公報
【発明の概要】
【発明が解決しようとする課題】
【０００８】
しかしながら、上記特許文献１及び２に記載される足場の支持装置（構造）は、水平支持梁やブラケット部に建枠の脚柱との連結部が設けられるなど、比較的複雑な形状であり、また、各部が結合されているため全体としての寸法も大きく、運搬性及び取り扱いやすさの点で課題がある。
【０００９】
一方、仮設足場の組み立て作業においては、作業員、歩行者の安全確保、建物の強度等の観点から、設置現場に応じて各種の処置を施す必要があり、製造、管理、及び取扱の容易性から、それらの各処置に対してできるだけ共通に使用できる道具が望まれる。
【００１０】
そこで、本発明の目的は、仮設足場を組み立てる際に用いられる支持具であって、取り扱いが容易であり、多目的に使用でき、かつ、運搬性の良好な支持具を提供することである。
【課題を解決するための手段】
【００１１】
上記の目的を達成するために、本発明の一つの側面は、建物の外側に仮設足場を組み立てる際に用いる支持具が、前記建物の一部を挟持する挟持部と、前記挟持部に取り付けられ、前記建物の外側に向かって水平に張り出す水平部材と、前記水平部材に取り付けられる、物を吊り下げるための吊下結合部と、を備え、前記仮設足場の下方に取り付けられる場合には、前記水平部材の上に前記仮設足場が組み立てられ、前記仮設足場の上方に取り付けられる場合には、前記吊下結合部に所定の吊下げ物が取り付けられ、前記挟持部と前記水平部材と前記吊下結合部とは、互いに、取り外し可能である、ことである。
【００１２】
当該側面により、仮設足場を地面から組み立てられない箇所に容易に仮設足場を組み立てられるようになる。また、仮設足場の組み立て時に用いられる安全装置などを吊るすためにも使用することができ、当該現場で多目的に使用することができる。さらに、各部が取り外せるので、運搬性がよく、取扱も容易である。
【００１３】
更に、上記発明において、その好ましい一つの態様は、前記水平部材は、前記挟持部及び前記吊下結合部のそれぞれに対して、取り付け位置を変更するための複数の取付穴を備える、ことを特徴とする。
【００１４】
当該態様により、挟持部や吊下結合部の取り付け位置を変更でき、状況の異なる各現場に柔軟に適用することができる。
【００１５】
更に、上記発明において、その好ましい一つの態様は、前記水平部材は、前記仮設足場に使用される管部材と整合する直径の管部材で構成される、ことを特徴とする。
【００１６】
当該態様により、仮設足場を構築する現場において従来使用されている結合具等の道具や部品を使用することができ、新たな道具を必要としない。
【００１７】
更に、上記発明において、その好ましい一つの態様は、前記吊下げ物は、前記仮設足場を組み立てる作業員の墜落防止装置である、ことを特徴とする。
【００１８】
更に、上記発明において、その好ましい一つの態様は、前記吊下げ物は、物の落下防止装置である、ことを特徴とする。
【００１９】
更に、上記発明において、その好ましい一つの態様は、前記吊下結合部を２つ備える、ことを特徴とする。
【００２０】
上記の目的を達成するために、本発明の別の側面は、建物の外側に組み立てる仮設足場の支持具が、前記建物の一部を挟持する挟持部と、前記挟持部に取り付けられ、前記建物の外側に向かって水平に張り出す部材であって、前記仮設足場を載せる水平部材と、前記挟持部に取り付けられ、前記仮設足場を組み立てるための作業床を取り付ける作業床結合部と、を備える、ことである。
【００２１】
当該側面により、仮設足場を地面から組み立てられない箇所で仮設足場を構築することができると共に、作業員の作業床も取り付けられるので、利便性が高い。
【００２２】
更に、上記発明において、その好ましい一つの態様は、前記水平部材及び前記作業床結合部は、前記仮設足場に使用される管部材と整合する直径の管部材で構成される、ことを特徴とする。
【００２３】
当該態様により、仮設足場を構築する現場において従来使用されている結合具等の道具や部品を使用することができ、新たな道具を必要としない。
【００２４】
更に、上記発明において、その好ましい一つの態様は、更に、一端が、前記水平部材の前記建物の外側へ向く先端部に結合され、他端が、前記水平部材よりも下方の位置で、前記建物又は前記建物に固定された部材に結合される補強部材を備える、ことを特徴とする。
【００２５】
当該態様により、建物の状況等に応じて、安全に仮設足場を組み立てることができ、補強にも同じ支持具を用いることができる。
【００２６】
本発明の更なる目的及び、特徴は、以下に説明する発明の実施の形態から明らかになる。
【図面の簡単な説明】
【００２７】
【図１】本発明を適用した支持具の実施の形態例に係る側面図である。
【図２】支持具１の各部の部品図（側面図）である。
【図３】支持具１を支持構造体として、その上に仮設足場９００を組み立てた場合の一例を示した図である。
【図４】仮設足場９００を組み立てる作業員用の作業床３００を取り付けた適用例を示す図である。
【図５】補強部材７を利用する場合の適用例を示した図である。
【図６】支持具１を吊下げ物の支持構造体として適用した場合の一例を示した図である。
【図７】支持具１を用いて安全装置を取り付けた場合の一実施例を示した図である。
【図８】支持具１を用いて安全装置を取り付けた場合の一実施例を示した図である。
【発明を実施するための形態】
【００２８】
以下、図面を参照して本発明の実施の形態例を説明する。しかしながら、かかる実施の形態例が、本発明の技術的範囲を限定するものではない。なお、図において、同一又は類似のものには同一の参照番号又は参照記号を付して説明する。
【００２９】
図１は、本発明を適用した支持具の実施の形態例に係る側面図である。図１に示す支持具１が本発明を適用した支持具であり、本支持具１は、建物の外側（外壁）に沿って仮設足場９００を組み立てる際に用いられる。支持具１は、組み立てる仮設足場９００自体を支持する用途で使用される場合には、仮設足場９００の下端の位置で、建物の外壁（１００）などに取り付けられる。また、仮設足場９００の組み立て作業を行う作業員の安全綱を支持する場合、及び、落下物防止ネットを支持する場合には、仮設足場９００の上方の位置で、建物の屋上の壁（パラペット）などに取り付けられる。
【００３０】
支持具１は、仮設足場９００、又は、安全綱及び落下物防止ネットを支持する水平部材１と、支持具１を建物の外壁（建物壁１００）に取り付ける１対の挟持部３（３ａ、３ｂ）と、安全綱や落下物防止ネット等を吊下げる吊下結合部４とを備え、挟持部３及び吊下結合部４は水平部材１から取り外し可能に設けられている。また、建物壁１００を建物の外側から挟む第２挟持部３ｂには、最下層の仮設足場９００を組み立てる際に作業員が使用する作業床を取り付けるための作業床結合部５が設けられる。また、水平部材２は、仮設足場９００の組み立ての際に従来使用されている管と同径の管部材から成り、水平部材２には、挟持部３及び吊下結合部４の取付位置を変更するための複数の取付穴が設けられている。
【００３１】
このような構成により、本支持具１は、仮設足場９００を組み立てる際の様々な用途で使用でき、用途に応じてそれぞれの道具を用意する必要がないため、製造、管理、及び取扱が容易となる。また、支持具１は、各部が取り外せるので、運搬時には単純形状の小さな部品を運べばよく運搬性が良好であり、それにより、組立・解体の時間を削減できる。また、仮設足場９００を補強する部材等として従来用いられている管部材と同径の管部材が使用されているため、仮設足場９００の組み立てで用いられる従来の部品との整合が良く、新たな道具や部品を必要としない。従って、作業員は取り扱いやすく、この点でも組立・解体の時間短縮を図ることができる。さらに、挟持部３及び吊下結合部４の取付位置を変更可能であるので、支持具１は様々な条件の現場に柔軟に対応できる。
【００３２】
［支持具１の構成］
図２は、支持具１の各部の部品図（側面図）である。以下、図１及び図２に基づいて、支持具１の各部について説明する。
【００３３】
図１に示されるように、支持具１は、水平部材２と挟持部３と吊下結合部４と作業床結合部５と滑り止め部材６を備える。
【００３４】
水平部材２は、図１に示されるように、支持具１が建物壁１００に取り付けられた際に、水平に建物の外側へ張り出す部材である。水平部材２は、一例として、ＳＴＰＧ（圧力配管用炭素鋼鋼管）３７０  ＳＣＨ４０  ４８．６ｍｍφ（外径）×３．７ｍｍ（厚さ）の管部材で構成され、長手方向の寸法は、１，３７５ｍｍである。
【００３５】
また、水平部材２には、図２の（Ａ）に示されるように、他の部品を取り付けるための取付穴（２１−２４）が設けられ、取付穴２１は後述する第１挟持部３ａ用であり、取付穴２２は第２挟持部３ｂ用であり、取付穴２３は吊下結合部４用であり、取付穴２４は滑り止め部材６用である。各取付穴（２１−２４）は、一例として、１１ｍｍφ（直径）の寸法である。なお、これらの取付穴（２１−２４）は、それぞれ、図２の（Ａ）に見える側とその反対側の同位置に１対の穴として形成されている。
【００３６】
支持具１が仮設足場９００自体を支持する場合には、当該水平部材２の上に（図１において上方に）仮設足場９００の部材が組み上げられ、水平部材２が複数層（複数階）の仮設足場９００の重量を受ける。
【００３７】
一方、支持具１が仮設足場９００組み立て時の安全装置等の吊下げ物を支持する場合には、水平部材２は吊下結合部４を介して吊下げ物の荷重を受ける。
【００３８】
次に、挟持部３は、支持具１を建物壁１００に取り付ける部分であり、図１に示されるように、建物壁１００を両側（建物の内側と外側）から挟むクランプ機能を備える。挟持部３は、建物壁１００を建物の内側から押える第１挟持部３ａと建物壁１００を建物の外側から押える第２挟持部３ｂとを備える。
【００３９】
第１挟持部３ａは、図２の（Ｂ）に示されるように、第１挟持部３ａを水平部材２に取り付けるための取付管３１ａ、その取付管３１ａに固定された腕部材３２ａ、その腕部材３２ａに固定された圧着部台座３３ａと、その圧着部台座３３ａに固定された二つの圧着部３４ａ及び３５ａを備える。
【００４０】
取付管３１ａは、一例として、ＳＴＫＭ（機械構造用炭素鋼鋼管）１３Ａ  ６０．５ｍｍφ（外径）×５ｍｍ（厚さ）の管部材で構成され、長手方向の寸法は、１２０ｍｍである。また、取付管３１ａには、水平部材２に取り付けるための二つの取付穴３１１ａ（一例として、寸法が１１．５ｍｍφ（直径））が設けられる。なお、これらの取付穴３１１ａは、それぞれ、図２の（Ｂ）に見える側とその反対側の同位置に１対の穴として形成されている。
【００４１】
取付時には、取付管３１ａと水平部材２を嵌合し（取付管３１ａに水平部材２を挿入し）、図１に示す位置で、取付穴２１と取付穴３１１ａの位置を合わせ、それらの穴を貫通するようにボルトを通し、取付管３１ａの両外側からボルトとナットにより締め付けて固定する。このようにして、二つの取付穴２１の両方について固定する。
【００４２】
腕部材３２ａ及び圧着部台座３３ａは、それぞれ、Ｈ鋼及び平板の鋼材で構成される。
【００４３】
圧着部３４ａ及び３５ａは、それぞれ、８４ｍｍφ及び７５ｍｍφの外径を有する円形面で建物壁１００に圧着する。圧着部３４ａ及び３５ａは、一例として、硬質ゴムで構成される。
【００４４】
次に、第２挟持部３ｂは、図２の（Ｃ）に示されるように、第２挟持部３ｂを水平部材２に取り付けるための取付管３１ｂ、その取付管３１ｂに固定された腕部材３２ｂ、その腕部材３２ｂに固定された圧着部台座３３ｂと、その圧着部台座３３ｂに固定された圧着部３４ｂを備える。
【００４５】
取付管３１ｂは、一例として、ＳＴＫＭ（機械構造用炭素鋼鋼管）１３Ａ  ６０．５ｍｍφ（外径）×５ｍｍ（厚さ）の管部材で構成され、長手方向の寸法は、１５０ｍｍである。また、取付管３１ｂには、水平部材２に取り付けるための二つの取付穴３１１ｂ（一例として、寸法が１１．５ｍｍφ（直径））が設けられる。なお、これらの取付穴３１１ｂは、それぞれ、図２の（Ｃ）に見える側とその反対側の同位置に１対の穴として形成されている。
【００４６】
取付時には、取付管３１ｂと水平部材２を嵌合し（取付管３１ｂに水平部材２を挿入し）、図１に示す位置で、取付穴２２と取付穴３１１ｂの位置を合わせ、それらの穴を貫通するようにボルトを通し、取付管３１ｂの両外側からボルトとナットにより締め付けて固定する。なお、このような固定は、第２挟持部３ｂの場合、二つある取付穴３１１ｂのうちのいずれか一方で行う。また、この際に、水平部材２の３つの取付穴２２のいずれか一つを選択して固定する。これら取付穴３１１ｂと取付穴２２の選択の仕方により、第２挟持部３ｂの、水平部材２の長手方向の取付位置を６通りに変更することができる。
【００４７】
腕部材３２ｂは、Ｈ鋼で構成される。
【００４８】
３３ｂ圧着台座は、腕部材３２ｂに固定される管部材３３１、その管部材３３１に挿入された台形ナット３３２、その台形ナット３３２に挿入される台形ネジ３３３、その台形ネジ３３３の圧着部３４ｂ側に固定された台形ナット３３４を備える。台形ナット３３４には、調整穴３３５が設けられ、その調整穴３３５に棒状部材を挿入し、台形ネジ３３３を回転させることにより、圧着部３４ｂを腕部材３２ｂに対して移動させることができる。この水平部材２の長手方向への移動により、挟持部３で建物壁１００をしっかりと挟持することができる。また、上述した取付時に使用する取付穴３１１ｂと取付穴２２の選択と共に、当該圧着部３４ｂの移動により、各種の建物壁１００の厚さに対応可能である。
【００４９】
圧着部３４ｂは、５８ｍｍの外径を有する円形面で建物壁１００に圧着する。圧着部３４ｂは、一例として、硬質ゴムとその受けプレートで構成される。
【００５０】
次に、吊下結合部４（４Ａ、４Ｂ）は、支持具１に所望の物を吊下げる場合に使用する部品であり、図２の（Ｄ）に示される水平部材２側の構造と、図２の（Ｅ）に示される吊下げ物側の構造を備える。水平部材２側の構造は、取付管４１、その取付管４１に固定される取付部材４２、その取付部材４２に固定される結合部材４３を備える。
【００５１】
取付管４１は、一例として、ＳＴＫＭ（機械構造用炭素鋼鋼管）１３Ａ  ６０．５ｍｍφ（外径）×５ｍｍ（厚さ）の管部材で構成され、長手方向の寸法は、１２０ｍｍである。また、取付管４１には、水平部材２に取り付けるための二つの取付穴４１１（一例として、寸法が１１．５ｍｍφ（直径））が設けられる。なお、これらの取付穴４１１は、それぞれ、図２の（Ｄ）に見える側とその反対側の同位置に１対の穴として形成されている。
【００５２】
取付時には、取付管４１と水平部材２を嵌合し（取付管４１に水平部材２を挿入し）、図１に示す位置で、取付穴２３と取付穴４１１の位置を合わせ、それらの穴を貫通するようにボルトを通し、取付管４１の両外側からボルトとナットにより締め付けて固定する。なお、このような固定は、吊下結合部４の場合、二つある取付穴４１１のうちのいずれか一方で行う。また、この際に、吊下結合部４Ａ及び４のそれぞれに対して設けられた、水平部材２の２つの取付穴２３のいずれか一つを選択して固定する。これら取付穴４１１と取付穴２３の選択の仕方により、吊下結合部４の、水平部材２の長手方向の取付位置を３通りに変更することができる。なお、図１及び図２に示す例では、一つの吊下結合部４に対する二つの取付穴２３の間隔と、二つの取付穴４１１の間隔は、同じ寸法である。
【００５３】
取付部材４２及び結合部材４３は、それぞれ、管部材及び板部材で構成される。
【００５４】
吊下げ物側の構造は、結合部材４４とレールケース４５を備える。結合部材４４は、結合部材４３とボルト及びナットで固定される。結合部材４４は、板部材で構成される。
【００５５】
レールケース４５は、吊下げ物を水平移動するためのレール２０１を挿入するケースであり、結合部材４４に固定される。レールケース４５は、図２の（Ｅ）に示されるように、底部が開放された矩形の中空断面を有する角筒であり、その長さは、一例として、２５０ｍｍである。また、図示されていないが、レールケース４５は、その長さ方向側面に、レール２０１を固定するための複数の取付穴を備える。なお、レールケース４５は、板状の鋼材で構成される。
【００５６】
図１には、当該レールケース４５に、レール２０１を含む吊下機構２００が挿入された状態が示される。吊下機構２００は、レール２０１、単車２０２、及び、フック２０３を備える。レール２０１は、図１の紙面の厚さ方向に、所定長敷設され、単車２０２及びフック２０３は、レール２０１に沿って水平移動可能である。フック２０３には、所望の吊下げ物が吊り下げられる。なお、フック２０３は、アイナットで構成することができる。
【００５７】
吊下げ物としては、仮設足場９００を組み立てる作業員の墜落防止装置５００（安全綱（ワイヤーロープ５０１等）、仮設足場９００を組み立てる際の歩道側など外側への物の落下防止装置６００（ネット６０１等）、荷揚げ用のウィンチなどがある。
【００５８】
次に、作業床結合部５は、支持具１を、仮設足場９００を支持する道具として使用する場合に、最下層（通常、建物の２階レベル以上）の仮設足場９００を組み立てる際に作業員が使用する作業床を取り付けるための部分である。図１及び図２の（Ｃ）に示されるように、作業床結合部５は、第２挟持部３ｂの腕部材３２ｂに固定されて取り付けられ、一例として、ＳＴＫ（一般構造用炭素鋼鋼管）５００  ４８．６ｍｍφ（外径）×２．４ｍｍ（厚さ）の管状部材で構成される。
【００５９】
作業床結合部５には、図２の（Ｃ）に示されるように、取付穴５１（例えば、寸法が１１．５ｍｍφ（直径））が設けられる。作業床を取り付ける際には、作業床の管状の枠部材（サポート部材３０１）を、作業床結合部５に挿入し、当該枠部材に設けられた取付穴と取付穴５１を用いて、ボルト及びナットで両者を固定する。なお、サポート部材３０１は、一例として、４２．７ｍｍφ（外径）×１，０００ｍｍ（長さ）の管状部材で構成される。また、作業床結合部５とサポート部材３０１の固定にはピンを用い、当該ピンで上記取付穴を貫通するようにしても良い。
【００６０】
なお、水平部材２及び作業床結合部５として用いられる管状部材は、上述した例のように、仮設足場９００で用いられる管状部材と整合の取れた寸法の直径を有する部材である。具体的には、従来、一例として、仮設足場自体には直径が４２．７ｍｍφの部材が用いられ、それらを補強する部材として直径が４８．６ｍｍφの部材が用いられており、水平部材２及び作業床結合部５は、その後者と同径である。これにより、仮設足場９００を組み立てる際に、従来の接合部品や結合部品をそのまま使用することができ、新たな道具や部品を製作する必要がない。
【００６１】
次に、滑り止め部材６は、水平部材２の先端（挟持部３と反対側の端部）に取り付けられ、吊下結合部４等が水平部材２から抜け出す（滑り出る）のを防止する部分である。滑り止め部材６は、一例として、ＳＴＫＭ（機械構造用炭素鋼鋼管）１３Ａ  ６０．５ｍｍφ（外径）×５ｍｍ（厚さ）の管部材で構成され、長手方向の寸法は、２５ｍｍである。また、滑り止め部材６には、水平部材２に取り付けるための取付穴６１（一例として、寸法が１１．５ｍｍφ（直径））が設けられる。なお、これらの取付穴６１は、図２の（Ｆ）に見える側とその反対側の同位置に１対の穴として形成されている。
【００６２】
取付時には、滑り止め部材６と水平部材２を嵌合し（滑り止め部材６に水平部材２を挿入し）、図１に示す位置で、取付穴２４と取付穴６１の位置を合わせ、それらの穴を貫通するようにボルトを通し、滑り止め部材６の両外側からボルトとナットにより締め付けて固定する。
【００６３】
［仮設足場９００を支持する場合の適用例］
次に、支持具１を、仮設足場９００を支持する道具（構造体）として使用する場合の適用例について説明する。図３は、支持具１を支持構造体として、その上に仮設足場９００を組み立てた場合の一例を示した図である。かかる適用例では、マンションなどの建物の外壁（建物壁１００）に、建物壁１００に沿う方向（図３におけるＸ方向）に所定の間隔Ｐ（例えば、１，８００ｍｍ間隔）で、支持具１を建物の外側へ突き出る方向（図３のＹ方向）に挟持部３により取り付ける。
【００６４】
その後、取付けられた複数の支持具１（水平部材２）の上に、順次、仮設足場９００の枠組み部材、床部材等を組み上げていく。
【００６５】
なお、図３では、二つの支持具１の範囲についてのみ示しており、図３における矢印Ｘ１の方向及び矢印Ｘ２の方向に、更に、同様に、仮設足場９００を組み立てることができる。また、図３には、支持具１の下に（図３のＺ方向の下に）設けられる作業床３００、支持具１の先端に固定される補強部材７が描かれるが、それらについては後述する。
【００６６】
図４は、仮設足場９００を組み立てる作業員用の作業床３００を取り付けた適用例を示す図である。図４は、二つの支持具１の範囲について適用例を示している。
【００６７】
上述した仮設足場９００の組み立て作業では、最も低いレベル（階）から作業を行っていくが、最下層（図４のＺ方向における下）においては、建物壁１００に支持具１を取り付けた段階で、未だ足場がなく、作業員が留まって作業を行える有効なスペースがない。そこで、まず、取り付けた支持具１を利用して、図４に示される作業床３００を作る。
【００６８】
その際には、各支持具１の上述した作業床結合部５に作業床３００のサポート部材３０１を取り付けて固定し、取り付けられ、建物の外側に（図４のＹ方向に）張り出した両サポート部材３０１の間に床板３０２を渡して作業床３００が出来上がる。
【００６９】
これにより、最下層の仮設足場９００を組み立てられる有効なスペースが確保される。また、当該作業床３００の支持も支持具１を兼用でき、特別な支持構造を必要としない。
【００７０】
なお、図４における矢印Ｘ１の方向及び矢印Ｘ２の方向に、更に、仮設足場９００を組み立てる場合には、同様に、作業床３００を作ることができる。
【００７１】
図５は、補強部材７を利用する場合の適用例を示した図である。図５は、二つの支持具１の範囲について適用例を示している。
【００７２】
支持具１の上に仮設足場９００を組み立てる場合、足場の階数が多い場合、例えば、建物の十数階まで組む場合、支持具１にかかる荷重は大きくなり、それに伴い、建物壁１００に加わる曲げモーメントも大きくなる。特に、挟持部３が取り付けられる建物壁１００の上端部（図５のＺ方向の上端部）にそのモーメントが集中する。
【００７３】
このような場合、建物壁１００の状況により、上記モーメントを軽減するために、各支持具１に補強部材７を取り付ける。補強部材７には、一例として、支持具１の水平部材２と同仕様の管部材を用いることができる。
【００７４】
補強部材７は、図５に示されるように、支持具１を建物壁１００に取り付けた後に、補強部材７の一端を支持具１の水平部材２の先端（図５のＹ方向の挟持部３と反対側の端部）に取り付け（図５のＪ１の部分）、補強部材７の他端を建物壁１００に取り付けられた壁側部材４００に取り付ける（図５のＪ２の部分）、ことによって設置される。各部の取付には、仮設足場９００の組み立てで用いられる従来の結合具（例えば、直交型クランプ、自在型クランプ等）を用いることができる（図５のＪ２に示されるようなクランプがＪ１にも用いられる）。
【００７５】
なお、壁側部材４００は建物壁１００にアンカーを打つことで固定される。また、壁側部材４００を用いずに、補強部材７の他端を建物壁１００に、直接、アンカー等で取り付けるようにしても良い。
【００７６】
このように、支持具１が更に補強部材７を備えることにより、建物壁１００の一部に加わる曲げモーメントを軽減でき、安全な仮設足場９００を組み立てることができる。
【００７７】
なお、図５における矢印Ｘ１の方向及び矢印Ｘ２の方向に、更に、仮設足場９００を組み立てる場合には、同様に、補強部材７を取り付けることができる。
【００７８】
［吊下げ物を支持する場合の適用例］
次に、支持具１を、仮設足場９００を組み立てる際の安全装置などを吊下げる道具（支持構造体）として使用する場合の適用例について説明する。図６は、支持具１を吊下げ物の支持構造体として適用した場合の一例を示した図である。
【００７９】
仮設足場９００を組み立てる場合には、作業員や周囲の歩行者等の安全を確保する必要があり、そのための装置を仮設足場９００の上方から吊るして使用する場合に、支持具１を、仮設足場９００を組み立てる建物の屋上などに取り付けて、これらの装置を支持するようにする。
【００８０】
図６は、二つの支持具１の範囲について適用例を示している。ここでは、各支持具１は、建物の屋上外縁にある壁（パラペット、建物壁１００）に各挟持部３により取り付けられる。各支持具１は、所定の間隔Ｐ（例えば、１，８２０ｍｍ間隔）で、図６の矢印Ｘ１の方向及び矢印Ｘ２の方向に、必要に応じて、複数取り付けられる。
【００８１】
各支持具１の二つの吊下結合部４（４Ａ、４Ｂ）には、上述した吊下機構２００が取り付けられ、さらに、各吊下機構２００には、上述したレール２０１が挿入されている。このレール２０１は、図示していないが、支持具１と同様に、図６のＸ方向の所定の位置まで連続して敷設されている。
【００８２】
図６に示す例では、吊下結合部４Ａによって支持されるレール２０１には、作業員墜落防止装置５００が吊り下げられ、吊下結合部４Ｂによって支持されるレール２０１には、周囲への物等の落下防止装置６００が吊り下げられる。
【００８３】
このように、支持具１を吊下げ物の支持構造体として使用する場合には、まず、各支持具１をパラペットなど建物壁１００に挟持部３により取り付け、その後に、レール２０１をレールケース４５に通し、その後、必要な単車２０１及びフック２０３をレール２０１に通す。取り付けられたフック２０３には、必要な吊下げ物がかけられる（取り付けられる）。
【００８４】
図７及び図８は、支持具１を用いて安全装置を取り付けた場合の一実施例を示した図である。図７は、正面図であり、図８は、側面図である。図７及び図８に示す例では、上述した図６の場合と同様に、支持具１の吊下結合部４Ａ及び４Ｂを用いて二重のレール２０１が設けられ、各レール２０１に作業員墜落防止装置５００と落下防止装置６００が吊り下げられる。
【００８５】
当該実施例では、図７に示されるように、複数の支持具１が図７のＸ方向に所定の間隔Ｐ（例えば、１，８２０ｍｍ間隔）で、図８に示されるように、建物壁１００に取り付けられる。図８に示されるように、各支持具１に取り付けられた内側の（図８のＹ方向右側の）レール２０１には、フック２０３を介して作業員墜落防止装置５００が吊り下げられ、外側の（図８のＹ方向左側の）レール２０１には、フック２０３を介して落下防止装置６００が吊り下げられる。
【００８６】
作業員墜落防止装置５００は、図７及び図８に示されるように、フック２０３に取り付けられるワイヤーロープ５０１、ワイヤーロープ５０１の下につながれる親綱５０３、作業員７００が装着するハーネス５０２、親綱５０３とハーネス５０２の綱をつなぐグリップ５０４、及び、ワイヤーロープ５０１と親綱５０３のジョイント部であるスイベル５０５を備える。
【００８７】
この作業員墜落防止装置５００は、単車２０２がレール２０１に沿って移動できるので、図７のＸ方向に水平移動できる。したがって、作業員墜落防止装置５００は、作業員の水平移動に追随して移動し、作業員の動きを邪魔しない。また、親綱５０３は、通常時には、作業員７００の位置に応じて長さが伸縮するが、作業者７００が墜落した場合には、グリップ５０４が親綱５０３を挟んで親綱５０３が伸びないようになる。また、スイベル５０５により、ワイヤーロープ５０１と親綱５０３間の回転（ねじれ）が解消され、いわゆるより戻しを防止できる。
【００８８】
落下防止装置６００は、仮設足場９００を組み立てる現場の周辺（歩道等）に工具などの物を落下させないようにするための装置であり、図７及び図８に示されるように、落下防止用のネット６０１を備える。
【００８９】
ネット６０１は、カーテンのように複数個所でフック２０３に取り付けられ、フック２０３がレール２０１に沿って移動することにより開閉できる。
【００９０】
このようにして、支持具１を仮設足場９００の上方に設置して安全装置を吊るために用いることができるが、この態様において、荷揚げ用のウィンチなどを吊るすようにしてもよい。なお、荷揚げ用ウィンチを吊るす場合、レール２０１を設けずに、吊下結合部４にフック２０３と荷揚ウィンチを取り付ける態様にしてもよい。この場合には、水平方向の１か所において、荷揚げを行うことができる。
【００９１】
なお、支持具１は、図１及び図２に基づいて説明した各構成部品が、すなわち、水平部材２、第１挟持部３ａ、第２挟持部３ｂ、吊下結合部４、作業床結合部５、及び、滑り止め部材６が、それぞれ、取り外し可能（分解可能）である。したがって、運搬時にはそれらが取り外される。
【００９２】
また、支持具１を仮設足場９００の支持構造体として使用する場合、上記例示した仕様の部材及び上記例示した設置仕様であれば、仮設足場の十数段分の仮設足場９００を支持できることが、強度計算及び試験で証明されている。
【００９３】
以上説明したように、本実施の形態例に係る支持具１は、建物壁１００に取り付けて仮設足場９００を支持することができるので、地面から仮設足場９００を組み立てられない箇所にも容易に仮設足場９００を構築することができる。
【００９４】
また、支持具１は、比較的軽く寸法の小さい各部位に分解することができるので、運搬性が良好であり、現場での取り扱いも容易である。
【００９５】
また、支持具１は、使用している部材の仕様が、仮設足場９００に用いられている従来の部材の仕様と整合しており、それらの結合に特別な道具や部品を用意する必要がなく、仮設足場９００を組み立てる作業員７００にとっても取り扱いが容易である。
【００９６】
また、支持具１は、上述の通り、多目的に使用でき、用途毎にそれぞれの道具を用意する必要がなく、製造、管理、及び、取扱の観点で大変効率的である。
【００９７】
具体的には、まず、支持具１は、最下層の仮設足場９００を組み立てる際の作業床３００の支持具を兼ねることができる。
【００９８】
また、支持具１は、建物壁１００を補強する補強部材７も備えることできる。
【００９９】
また、支持具１は、吊り下げ物用の支持構造体として利用でき、作業員墜落防止装置５００及び物の落下防止装置６００等を支持することもできる。
【０１００】
本発明の保護範囲は、上記の実施の形態に限定されず、特許請求の範囲に記載された発明とその均等物に及ぶものである。
【符号の説明】
【０１０１】
１…支持具、２…水平部材、３…挟持部、３ａ…第１挟持部、３ｂ…第２挟持部、４（４Ａ、４Ｂ）…吊下結合部、５…作業床結合部、６…滑り止め部材、７…補強部材、２１〜２４…取付穴、３１ａ、３１ｂ…取付管、３２ａ、３２ｂ…腕部材、３３ａ、３３ｂ…圧着部台座、３４ａ、３４ｂ、３５ａ…圧着部、４１…取付管、４２…取付部材、４３、４４…結合部材、４５…レールケース、５１…取付穴、６１…取付穴、１００…建物壁、２００…吊下機構、２０１…レール、２０２…単車、２０３…フック、３００…作業床、３０１…サポート部材、３０２…床板、３１１ａ、３１１ｂ…取付穴、３３１…管部材、３３２…台形ナット、３３３…台形ネジ、３３４…台形ナット、３３５…調整穴、４００…壁側部材、４１１…取付穴、５００…作業員墜落防止装置、５０１…ワイヤーロープ、５０２…ハーネス、５０３…親綱、５０４…グリップ、５０５…スイベル、６００…落下防止装置、６０１…ネット、７００…作業員、９００…仮設足場。
【図１】
2019023388.tif 000003
【図２】
2019023388.tif 000004
【図３】
2019023388.tif 000005
【図４】
2019023388.tif 000006
【図５】
2019023388.tif 000007
【図６】
2019023388.tif 000008
【図７】
2019023388.tif 000009
【図８】
2019023388.tif 000010
【手続補正書】
【提出日】平成30年2月15日(2018.2.15)
【手続補正１】
【補正対象書類名】特許請求の範囲
【補正対象項目名】全文
【補正方法】変更
【補正の内容】
【特許請求の範囲】
【請求項１】
建物の外側に仮設足場を組み立てる際に用いる支持具であって、
前記建物の一部を挟持する挟持部と、
前記挟持部に取り付けられ、前記建物の外側に向かって水平に張り出す水平部材と、
前記水平部材に取り付けられる、物を吊り下げるための吊下結合部と、
前記挟持部に取り付けられ、前記仮設足場を組み立てるための作業床を取り付ける作業床結合部と、を備え、
前記挟持部と前記水平部材と前記吊下結合部とは、互いに、取り外し可能である
ことを特徴とする支持具。
【請求項２】
請求項１において、
前記水平部材は、前記挟持部及び前記吊下結合部のそれぞれに対して、取り付け位置を変更するための複数の取付穴を備える
ことを特徴とする支持具。
【請求項３】
請求項１あるいは２において、
前記吊下結合部に吊り下げる物は、前記仮設足場を組み立てる作業員の墜落防止装置である
ことを特徴とする支持具。
【請求項４】
請求項１乃至３のいずれか１項において、
前記吊下結合部に吊り下げる物は、物の落下防止装置である
ことを特徴とする支持具。
【請求項５】
請求項１乃至４のいずれか１項において、
前記吊下結合部を２つ備える
ことを特徴とする支持具。
【請求項６】
請求項１あるいは２において、更に、
一端が、前記水平部材の前記建物の外側へ向く先端部に結合され、他端が、前記水平部材よりも下方の位置で、前記建物又は前記建物に固定された部材に結合される補強部材を備える
ことを特徴とする支持具。